(57)【要約】【課題】ＰＳＴＮ網が輻輳したときに、その輻輳のＩＰ網への影響を抑制すること。【解決手段】ＩＰ網１のＣＡ１２は、ＭＧＣ１３内のそれぞれの仮想ＭＧＣ機能部３１〜３４とのＩＰ接続を確立するとともに、そのＩＰ接続を介して呼接続に関するシグナリングメッセージを送受信し、ＰＳＴＮ網２の中継交換機２１〜２４は、収容するエリアにおいて輻輳の発生を検知すると、その自装置のポイントコードを含めた輻輳通知を、ＰＳＴＮ網の輻輳通知手順に従ってＭＧＣ１３に送信し、ＭＧＣ１３の制御部３０は、受信した輻輳通知のポイントコードに対応する仮想ＭＧＣ機能部３１〜３４を特定し、特定した仮想ＭＧＣ機能部３１〜３４のＩＰ接続に関する処理を制御する。【選択図】図１
2011077936.tif 000002
【特許請求の範囲】
【請求項１】
ＩＰ（Internet Protocol）網のＩＰ網側端末とＰＳＴＮ（Public Switched Telephone Network）網とで呼接続を行い、前記ＰＳＴＮ網で発生する輻輳をもとに前記ＩＰ網での呼接続を制御する輻輳制御システムであって、
前記ＩＰ網には、前記ＩＰ網側端末を収容するＣＡ（Call Agent）と、呼接続に関するシグナリングメッセージを仲介するＭＧＣ（Media Gateway Controller）とが接続され、前記ＰＳＴＮ網には、エリアごとに前記ＰＳＴＮ網側端末を収容する中継交換機が接続され、
前記ＭＧＣは、制御部と、それぞれの前記中継交換機に１：１で対応する仮想ＭＧＣ機能部と、その１：１の対応付け情報を管理する交換機管理テーブルと、を有し、
前記ＣＡは、それぞれの前記仮想ＭＧＣ機能部とのＩＰ接続を確立するとともに、そのＩＰ接続を介して呼接続に関するシグナリングメッセージを送受信し、
前記ＰＳＴＮ網が、特定エリアにおいて輻輳の発生を検知すると、その特定エリアのポイントコードを含めた輻輳通知を、前記ＰＳＴＮ網の輻輳通知手順に従って前記ＭＧＣに送信し、
前記ＭＧＣの前記制御部は、受信した前記輻輳通知からポイントコードを読み取って、前記交換機管理テーブルを参照して、そのポイントコードに対応する前記仮想ＭＧＣ機能部を特定し、特定した前記仮想ＭＧＣ機能部のＩＰ接続に関する処理を制御することを特徴とする
輻輳制御システム。
【請求項２】
前記制御部は、前記ＩＰ接続に関する処理の制御として、受信した前記輻輳通知から特定した前記仮想ＭＧＣ機能部の処理優先度を、その他の前記仮想ＭＧＣ機能部の処理優先度よりも下げることを特徴とする
請求項１に記載の輻輳制御システム。
【請求項３】
前記制御部は、前記ＩＰ接続に関する処理の制御として、前記処理優先度を下げてから所定時間が経過したときには、受信した前記輻輳通知から特定した前記仮想ＭＧＣ機能部と前記ＣＡとの間のＩＰ接続を切断することを特徴とする
請求項２に記載の輻輳制御システム。
【請求項４】
前記輻輳通知は、前記特定エリアのポイントコードに加えて、発生した輻輳の度合いを示す輻輳レベルを含み、
前記制御部は、受信した前記輻輳通知において、前記輻輳レベルが高いときには、前記ＩＰ接続に関する処理の制御として、受信した前記輻輳通知から特定した前記仮想ＭＧＣ機能部と前記ＣＡとの間のＩＰ接続を切断することを特徴とする
請求項１に記載の輻輳制御システム。
【請求項５】
前記中継交換機は、収容するエリアにおいて発生した輻輳の回復を検知すると、その自装置のポイントコードを含めた輻輳解除通知を、前記ＰＳＴＮ網の前記輻輳通知手順に従って前記ＭＧＣに送信し、
前記ＭＧＣの前記制御部は、受信した前記輻輳解除通知からポイントコードを読み取って、前記交換機管理テーブルを参照して、そのポイントコードに対応する前記仮想ＭＧＣ機能部を特定し、その特定した前記仮想ＭＧＣ機能部についての前記ＩＰ接続に関する処理の制御を解除することを特徴とする
請求項１ないし請求項４のいずれか１項に記載の輻輳制御システム。
【請求項６】
ＩＰ（Internet Protocol）網のＩＰ網側端末とＰＳＴＮ（Public Switched Telephone Network）網とで呼接続を行い、前記ＰＳＴＮ網で発生する輻輳をもとに前記ＩＰ網での呼接続を制御する輻輳制御システムによる輻輳制御方法あって、
前記ＩＰ網には、前記ＩＰ網側端末を収容するＣＡ（Call Agent）と、呼接続に関するシグナリングメッセージを仲介するＭＧＣ（Media Gateway Controller）とが接続され、前記ＰＳＴＮ網には、エリアごとに前記ＰＳＴＮ網側端末を収容する中継交換機が接続され、
前記ＭＧＣは、制御部と、それぞれの前記中継交換機に１：１で対応する仮想ＭＧＣ機能部と、その１：１の対応付け情報を管理する交換機管理テーブルと、を有し、
前記ＣＡは、それぞれの前記仮想ＭＧＣ機能部とのＩＰ接続を確立するとともに、そのＩＰ接続を介して呼接続に関するシグナリングメッセージを送受信し、
前記ＰＳＴＮ網が、特定エリアにおいて輻輳の発生を検知すると、その特定エリアのポイントコードを含めた輻輳通知を、前記ＰＳＴＮ網の輻輳通知手順に従って前記ＭＧＣに送信し、
前記ＭＧＣの前記制御部は、受信した前記輻輳通知からポイントコードを読み取って、前記交換機管理テーブルを参照して、そのポイントコードに対応する前記仮想ＭＧＣ機能部を特定し、特定した前記仮想ＭＧＣ機能部のＩＰ接続に関する処理を制御することを特徴とする
輻輳制御方法。
【請求項７】
請求項６に記載の輻輳制御方法を、前記輻輳制御システムの各装置に実行させるための輻輳制御プログラム。
【請求項８】
ＩＰ（Internet Protocol）網のＩＰ網側端末とＰＳＴＮ（Public Switched Telephone Network）網とで呼接続を行い、前記ＰＳＴＮ網で発生する輻輳をもとに前記ＩＰ網での呼接続を制御する輻輳制御システムに用いられるメディア制御装置であって、
前記ＩＰ網には、前記ＩＰ網側端末を収容するＣＡ（Call Agent）と、呼接続に関するシグナリングメッセージを仲介するメディア制御装置とが接続され、前記ＰＳＴＮ網には、エリアごとに前記ＰＳＴＮ網側端末を収容する中継交換機が接続され、
前記メディア制御装置は、制御部と、それぞれの前記中継交換機に１：１で対応する仮想ＭＧＣ（Media Gateway Controller）機能部と、その１：１の対応付け情報を管理する交換機管理テーブルと、を有し、
それぞれの前記仮想ＭＧＣ機能部は、前記ＣＡとのＩＰ接続を確立するとともに、そのＩＰ接続を介して呼接続に関するシグナリングメッセージを送受信し、
前記メディア制御装置の前記制御部は、前記ＰＳＴＮ網の特定エリアにおいて輻輳の発生により通知される前記特定エリアのポイントコードを含めた輻輳通知を受信すると、その受信した前記輻輳通知からポイントコードを読み取って、前記交換機管理テーブルを参照して、そのポイントコードに対応する前記仮想ＭＧＣ機能部を特定し、特定した前記仮想ＭＧＣ機能部のＩＰ接続に関する処理を制御することを特徴とする
メディア制御装置。
【発明の詳細な説明】
【技術分野】
【０００１】
本発明は、輻輳制御システム、輻輳制御方法、輻輳制御プログラム、および、メディア制御装置に関するものである。
【背景技術】
【０００２】
ＶｏＩＰ（Voice over Internet Protocol）とは、インターネットなどのＩＰ（Internet Protocol）網を使って、音声データを送受信するための技術である。ＩＰ網の呼制御には、非特許文献１に記載されたＳＩＰ（Session Initiation Protocol）が用いられる。
【０００３】
一方、既存の回線交換網であるＰＳＴＮ（Public Switched Telephone Network）網を使って、音声データを送受信するための電話網は、すでに広い地域で利用されている。そこで、ＩＰ網とＰＳＴＮ網とを接続可能な電話システムを構築することにより、ＩＰ網に接続される電話端末と、ＰＳＴＮ網の交換機に接続される電話機との間での通話が可能となる。
【先行技術文献】
【非特許文献】
【０００４】
【非特許文献１】J. Rosenberg、H. Schulzrinne、G. Camarillo、A. Johnston、J. Peterson、R. Sparks、M. Handley、E. Schooler著、ＲＦＣ３２６１（SIP:Session Initiation Protocol）、［online］、2002年、ＩＥＴＦ（Internet Engineering Task Force）、［平成２１年７月３０日検索］、インターネット（ＵＲＬ：http://www.ietf.org/rfc/rfc3261.txt）
【発明の概要】
【発明が解決しようとする課題】
【０００５】
従来の技術では、２つの網を接続して通信するための規定は記載されているものの、ＰＳＴＮ網で発生する輻輳をＩＰ網側で対処する方式については、記載されていない。
【０００６】
災害発生などの影響でＰＳＴＮ網が輻輳した場合は、ＰＳＴＮ網の内部では、すでに、ＳＳ７（Signalling System No. 7）のＭＴＰ（Message Transfer Part）で輻輳通知の考慮がなされている。このＭＴＰによる輻輳通知手段を利用することで、ＰＳＴＮ網の電話端末を収容する中継交換機の間では、輻輳対策が可能となる。
【０００７】
しかし、ＩＰ網のＳＩＰでは、輻輳を通知して、その対策を促すための規定が存在しないため、ＰＳＴＮ網で発生した輻輳に関する情報は、ＰＳＴＮ網の終端までしか通知されない。よって、ＩＰ網側では、ＰＳＴＮ網の輻輳を知ることがないため、例えば、輻輳が発生したにもかかわらず、その輻輳の発生した箇所への発呼処理などを無駄に要求してしまうことになる。
【０００８】
そこで、本発明は、前記した問題を解決し、ＰＳＴＮ網が輻輳したときに、その輻輳のＩＰ網への影響を抑制することを、主な目的とする。
【課題を解決するための手段】
【０００９】
前記目的を達成するために、本発明は、ＩＰ（Internet Protocol）網のＩＰ網側端末とＰＳＴＮ（Public Switched Telephone Network）網とで呼接続を行い、前記ＰＳＴＮ網で発生する輻輳をもとに前記ＩＰ網での呼接続を制御する輻輳制御システムであって、
前記ＩＰ網には、前記ＩＰ網側端末を収容するＣＡ（Call Agent）と、呼接続に関するシグナリングメッセージを仲介するＭＧＣ（Media Gateway Controller）とが接続され、前記ＰＳＴＮ網には、エリアごとに前記中継交換機が接続され、
前記ＭＧＣが、制御部と、それぞれの前記中継交換機に１：１で対応する仮想ＭＧＣ機能部と、その１：１の対応付け情報を管理する交換機管理テーブルと、を有し、
前記ＣＡが、それぞれの前記仮想ＭＧＣ機能部とのＩＰ接続を確立するとともに、そのＩＰ接続を介して呼接続に関するシグナリングメッセージを送受信し、
前記ＰＳＴＮ網が、特定エリアにおいて輻輳の発生を検知すると、その特定エリアのポイントコードを含めた輻輳通知を、前記ＰＳＴＮ網の輻輳通知手順に従って前記ＭＧＣに送信し、
前記ＭＧＣの前記制御部が、受信した前記輻輳通知からポイントコードを読み取って、前記交換機管理テーブルを参照して、そのポイントコードに対応する前記仮想ＭＧＣ機能部を特定し、特定した前記仮想ＭＧＣ機能部のＩＰ接続に関する処理を制御することを特徴とする。
その他の手段は、後記する。
【発明の効果】
【００１０】
本発明によれば、ＰＳＴＮ網が輻輳したときに、その輻輳のＩＰ網への影響を抑制することができる。
【図面の簡単な説明】
【００１１】
【図１】本発明の一実施形態に関する電話連携システムを示す構成図である。
【図２】本発明の一実施形態に関する低度合の輻輳が発生したときの、電話連携システムを示す構成図である。
【図３】本発明の一実施形態に関する所定時間が経過したときの、電話連携システムを示す構成図である。
【図４】本発明の一実施形態に関する高度合の輻輳が発生したときの、電話連携システムを示す構成図である。
【発明を実施するための形態】
【００１２】
以下、本発明の一実施形態を、図面を参照して詳細に説明する。
【００１３】
図１は、電話連携システムを示す構成図である。電話連携システムは、ＩＰ網１と、ＰＳＴＮ網２とが連携されて構成される。
ＩＰ網１は、ＩＰ網側電話機１１と、ＣＡ（Call Agent）１２と、ＭＧＣ（Media Gateway Controller）１３と、ＳＧ（Signalling Gateway）１４と、ＭＧ（Media Gateway）１５とがインターネットなどのパケット交換網で接続されている。
ＰＳＴＮ網２は、ＳＧ１４とＭＧ１５とが、中継交換機２１〜２４と接続されている。
つまり、ＳＧ１４およびＭＧ１５は、両方の網に属し、その網を仲介するＧＷ（Gateway）として配置されている。なお、ＧＷとは、２つの網の中間に位置し、片方の網からきたメッセージを、もう片方の網へと中継する役割を担う装置である。
【００１４】
ＩＰ網側電話機１１は、ＰＳＴＮ網２との間で呼（Call）を接続し、その結果である呼接続を用いて、ユーザの音声信号を通信（通話）する。なお、ＰＳＴＮ網２には、中継交換機２１〜２４の先に加入者交換機（図示省略）が存在し、通話者が通話するときに使用する電話機などのＰＳＴＮ端末（図示省略）が、加入者交換機に収容されている。
本実施形態では、ＩＰ網側電話機１１（発呼側）からＰＳＴＮ網２への呼接続を例に説明するが、その逆方向であるＰＳＴＮ網２からＩＰ網側電話機１１（着呼側）への呼接続も可能である。
【００１５】
ＣＡ１２は、ＩＰ網側電話機１１の呼接続を管理する装置であり、１台以上のＩＰ網側電話機１１を収容する。そして、ＣＡ１２は、各仮想ＭＧＣ機能部３１〜３４とそれぞれＩＰ接続を設定し、そのＩＰ接続を介して、呼接続のための制御信号（ＳＩＰのＩＮＶＩＴＥメッセージなど）を送受信する。
なお、本実施形態では、「ＩＰ接続」とは、ＩＰ網１内のＣＡ１２と仮想ＭＧＣ機能部３１〜３４との間で接続され、ＳＩＰなどのシグナリングメッセージを送受信するために使用される接続である。このＩＰ接続を確立するために使用されるプロトコルは、ＴＣＰ（Transmission Control Protocol）が使用される。
ここで、ＣＡ１２は、着番号を手がかりとして、ＩＰ網側電話機１１からの発呼（ＩＮＶＩＴＥメッセージ）をどの仮想ＭＧＣ機能部３１〜３４に転送するかを決定するための仮想ＭＧＣ特定用データ（図示省略）を記憶手段に有する。
【００１６】
ＭＧＣ１３は、１つの制御部３０と、中継交換機２１〜２４ごとに対応する仮想ＭＧＣ機能部３１〜３４とを有する。
制御部３０は、２つのＧＷ（ＳＧ１４，ＭＧ１５）を制御する。
ＭＧ１５を制御するプロトコルは、例えば、ＲＦＣ（Request for Comments）３０１５に規定されている「Megaco Protocol」である。
ＳＧ１４を制御するプロトコルは、例えば、ＲＦＣ３３３２（Ｍ３ＵＡ）である。
【００１７】
仮想ＭＧＣ機能部３１〜３４は、それぞれ同じ機能部を複製したものであり、それぞれ接続先の制御部３０からの指示を受ける。なお、仮想ＭＧＣ機能部３１〜３４は、ＭＧＣ１３という同じ物理計算機の内部に、同じＯＳ上のそれぞれ異なるプロセスとして実現してもよいし、同じプロセスとして実現してもよい。
各仮想ＭＧＣ機能部３１〜３４には、それぞれＣＡ１２とのＩＰ接続を確立するために、それぞれ異なるＩＰアドレスまたは使用ポートが割り当てられている。各仮想ＭＧＣ機能部３１〜３４は、さらに、ＩＰ接続を介してＣＡ１２と送受信するＳＩＰ信号を、通過したり廃棄したりするフィルタリング処理を実行する。
【００１８】
ＳＧ１４は、シグナリングメッセージ（各種制御信号）を仲介する装置である。ＳＧ１４は、ＰＳＴＮ網２のシグナリングメッセージを、M3UA（MTP3  User  adaptation）などに従ってＩＰにカプセル化してから、ＭＧＣ１３と送受信する。
ＭＧ１５は、ユーザデータ（音声信号）を仲介する装置である。ＭＧ１５では、ＩＰ網のユーザ端末とＰＳＴＮ網２のユーザ端末との間の音声制御情報を管理し、その情報をもとにして音声データを通信する。ＭＧ１５は、ＭＧＣ１３からMegacoプロトコルで制御される。
【００１９】
【表１】
2011077936.tif 000003
【００２０】
交換機管理テーブル４１は、ＭＧＣ１３の制御部３０からアクセス可能なテーブルである。交換機管理テーブル４１は、ポイントコードと、仮想ＭＧＣと、輻輳制御状態とを対応づけて管理する。交換機管理テーブル４１の１レコード分が、１台の中継交換機２１〜２４（および対応する１つの仮想ＭＧＣ機能部３１〜３４）の情報を示す。
ポイントコードは、中継交換機２１〜２４を特定するためのユニークなＩＤである。
仮想ＭＧＣは、仮想ＭＧＣ機能部３１〜３４を特定するためのユニークなＩＤであり、例えば、ＩＰ接続で指定されるＩＰアドレスである。
輻輳制御状態は、中継交換機２１〜２４で発生した輻輳の状態である。ＰＳＴＮ交換網２から受信した信号をもとに判断し、制御の度合いが低い（換言すると、呼接続がしやすい）順に、「なし」→「レベル１：新規接続を規制」→「レベル２：全信号を規制」である。
【００２１】
以下、図１の状態において、ＩＰ網側電話機１１からＰＳＴＮ網２への発呼により、呼接続が確立されるまでの手順（１）〜（５）を示す。
（１）ＩＰ網側電話機１１は、ＰＳＴＮ網２の中継交換機２１を経由する電話番号を指定して、発呼要求を送信する。
（２）ＣＡ１２は、（１）の発呼要求を受信すると、含まれている電話番号を検索キーとして、仮想ＭＧＣ特定用データから呼接続先を検索する。その結果、仮想ＭＧＣ機能部３１を取得し、その仮想ＭＧＣ機能部３１へのＩＰ接続を介して、ＳＩＰのＩＮＶＩＴＥ信号を仮想ＭＧＣ機能部３１に送信する。
（３）仮想ＭＧＣ機能部３１は、受信した（２）のＩＮＶＩＴＥ信号を、制御部３０に転送する。この転送は、交換機管理テーブル４１において、仮想ＭＧＣ列「Ｍ３１」のレコードの輻輳制御状態が「なし」であるため、許可されている。
（４）制御部３０は、受信した（２）のＩＮＶＩＴＥ信号からＰＳＴＮ網２の電話番号を読み取り、ＳＳ７（Signalling System No. 7）のＩＳＵＰ（Integrated Services Digital Network User Part）における接続要求メッセージであるＩＡＭ（Initial Address Message）に書き込んでから、そのＩＡＭをＳＧ１４へ送信する。
（５）ＳＧ１４は受信した（４）のＩＡＭを中継交換機２１に転送する。転送された中継交換機２１は、着信番号の電話機を収容している加入者交換機に信号を送信する。
【００２２】
図２は、図１の状態から低度合の輻輳が中継交換機２１に発生したときの制御手順を示す。
【００２３】
まず、ＰＳＴＮ交換網２内のＭＧＣ１３と中継交換機２１との間に位置する計算機である信号中継局は、災害などに起因して中継交換機２１で発生した輻輳を検知すると、ＭＴＰを用いて、検知した輻輳に関する情報をＳＧ１４に通知する。輻輳に関する情報とは、輻輳が発生した中継交換機２１のポイントコード「Ｐ２１」と、その輻輳レベル「レベル１」とを含む。
なお、ＭＴＰによる輻輳通知について、具体的には、ＴＴＣが発行するＭＴＰ（Message Transfer Part）の標準仕様書「ＪＴ−Ｑ７０４」において、輻輳を通知するための信号フォーマットが１５章（信号網管理メッセージのフォーマットとコード）に、輻輳を通知する手順については、１３章（信号ルート管理）にそれぞれ記載されている。
【００２４】
そして、制御部３０は、受信した内容（ポイントコード、輻輳レベル）をもとに、交換機管理テーブル４１を更新する。具体的には、受信したポイントコード「Ｐ２１」を検索キーとして交換機管理テーブル４１を検索し、該当するレコードの輻輳制御状態を、受信した信号のレベルをもとに設定する。
例えば、受信した信号が転送統制信号（輻輳状態表示２未満）なら、該当するレコードの輻輳制御状態を「レベル１」に設定する。
そして、受信した信号が転送統制信号（輻輳状態表示２以上）、または、転送禁止信号
なら、該当するレコードの輻輳制御状態を「レベル２」に設定する。
【００２５】
【表２】
2011077936.tif 000004
【００２６】
表２に示す交換機管理テーブル４１は、表１に示す各テーブルから、ポイントコード「Ｐ２１」の輻輳制御状態を「レベル１」に更新したときのデータ内容である。
【００２７】
さらに、制御部３０は、更新された輻輳レベルを反映するため、交換機管理テーブル４１の該当するレコードに対応する仮想ＭＧＣ列が示す仮想ＭＧＣ機能部３１に対して、その他の仮想ＭＧＣ機能部３２〜３４よりも処理の優先度を低優先にするように指示する。
優先度を低優先にする指示とは、例えば、低優先の仮想ＭＧＣ機能部３１が処理可能なＩＰ接続を介するシグナリングメッセージの数を、その他の仮想ＭＧＣ機能部３２〜３４よりも少なくする旨の指示である。
優先度を低優先にする指示として、低優先の仮想ＭＧＣ機能部３１が新規の呼接続要求信号（ＳＩＰのＩＮＶＩＴＥ信号）を廃棄するようにフィルタリング処理することとしてもよい。
【００２８】
以上説明した図２の各処理により、ＩＰ網側電話機１１は、輻輳が発生したＰＳＴＮ網２側への発呼が、仮想ＭＧＣ機能部３１の制御によりかかりづらくなる。これにより、ＰＳＴＮ網２で発生した輻輳に関する情報を、ＩＰ網１でも有効に活用することができる。
【００２９】
図３は、図２の状態から所定時間が経過したときの制御手順を示す。
【００３０】
制御部３０は、図２で示したポイントコード「Ｐ２１」の輻輳制御状態「レベル１」の通知時刻からタイマを起動する。制御部３０は、タイマの起動時刻から所定時間内に、ポイントコード「Ｐ２１」の輻輳制御状態「レベル０（輻輳解除）」を通知するＭＴＰを受信しないとき、つまり、レベル１の輻輳状態が所定時間継続したときには、ポイントコード「Ｐ２１」の輻輳制御状態を「レベル１」から「レベル２」へと引き上げる。
【００３１】
レベルの引き上げに伴い、制御部３０は、交換機管理テーブル４１の該当レコードの輻輳制御状態を「レベル２」に更新する。そして、制御部３０は、ポイントコード「Ｐ２１」の仮想ＭＧＣ機能部３１に対して、ＩＰ接続を切断するよう、指示する。
【００３２】
ＣＡ１２は、ＩＰ接続が切断された仮想ＭＧＣ機能部３１に対して呼接続するようにＩＰ網側電話機１１から指示されたときには、「ただいま回線が混雑しています」などの音声案内を再生するガイダンス端末への呼接続を実施してもよい。このガイダンス端末への呼接続は、管理者がＣＡ１２に対して手動で設定してもよい。
【００３３】
【表３】
2011077936.tif 000005
【００３４】
表３に示す交換機管理テーブル４１は、表１に示す各テーブルから、ポイントコード「Ｐ２１」の輻輳制御状態を「レベル２」に更新したときのデータ内容である。
【００３５】
以上説明した図３の各処理により、ＩＰ網側電話機１１は、高度合の輻輳が発生している地域に関するシグナリングメッセージを、一切送信できなくなる。これにより、ＰＳＴＮ網２で発生した輻輳に関する情報を、ＩＰ網１でも有効に活用することができる。例えば、輻輳地域への発呼は、ＣＡ１２で不可となるため、輻輳地域以外の呼接続への影響を抑制できる。
【００３６】
図４は、図１の状態から高度合の輻輳が中継交換機２１に発生したときの制御手順を示す。図２の処理と同様に、交換機管理テーブル４１の更新と、仮想ＭＧＣ機能部３１への制御を行うが、図３のように、所定時間の経過を待つことなく、ただちに図３のようなＩＰ接続の切断制御を実施する。
【００３７】
なお、図２〜図４の状態で、中継交換機２１の輻輳が回復した場合、ＭＧＣ１３は、その旨をＭＴＰで受信する。そして、制御部３０は、交換機管理テーブル４１の該当レコードの輻輳制御状態を「なし」に戻す。
【００３８】
そして、制御部３０は、輻輳制御状態の解除指示を該当する仮想ＭＧＣ機能部３１に通知する。仮想ＭＧＣ機能部３１は、輻輳制御状態の解除指示を受け、レベル１の制御（低優先処理）を元に戻し、レベル２の制御（ＩＰ接続の切断）を元に戻す（ＩＰ接続の再設定）。これにより、仮想ＭＧＣ機能部３１は、通常通り、ＩＰ接続を介してＳＩＰのシグナリングメッセージ（ＩＮＶＩＴＥなど）を送受信することができ、新規呼接続を設定することができる。
【００３９】
以上説明した本実施形態の電話連携システムは、ＰＳＴＮ網２で発生した輻輳に関する情報を、ＩＰ網１でも有効に活用することができる。
従来、ＩＰ網１のＭＧＣ１３は、複数の地域を収容するように１台に（集中的に）配置される場合が多いため、輻輳地域への呼接続に関する負荷が、輻輳地域以外への呼接続に対して影響を及ぼしてしまう。そして、ＣＡ１２に対して輻輳地域への呼接続を制御する設定を、管理者が手動で行っていくと、人間の手作業に依存することで、輻輳対策への時間的遅れが発生してしまう。
そこで、ＭＧＣ１３に仮想ＭＧＣ機能部３１〜３４を配置して、１つの仮想ＭＧＣ機能部３１〜３４が、１台の中継交換機２１〜２４のシグナリングメッセージを扱うように制御する。これにより、１台の中継交換機２１で輻輳が発生しても、１つの仮想ＭＧＣ機能部３１内で輻輳の影響範囲を抑えることができる。つまり、輻輳が発生していない他の中継交換機２２〜２４に対応する仮想ＭＧＣ機能部３２〜３４は、通常通り、シグナリングメッセージを扱うことができる。
さらに、仮想ＭＧＣ機能部３１〜３４は、標準仕様であるＩＰ接続の接続／切断により、呼接続の制御を実施するため、ＩＰ網１の保守システム方式がマルチベンダなどにより混在していても、本実施形態の輻輳制御を容易に導入することができる。
【符号の説明】
【００４０】
１      ＩＰ網
２      ＰＳＴＮ交換網
１１    ＩＰ網側電話機
１２    ＣＡ
１３    ＭＧＣ（メディア制御装置）
１４    ＳＧ
１５    ＭＧ
２１〜２４  中継交換機
３０    制御部
３１〜３４  仮想ＭＧＣ機能部
４１    交換機管理テーブル
【図１】
2011077936.tif 000006
【図２】
2011077936.tif 000007
【図３】
2011077936.tif 000008
【図４】
2011077936.tif 000009